(57)【要約】【課題】  高いコントラストを有し、良好な画像表示が可能であり、かつ、長い製品寿命を有する有機ＥＬ表示装置を提供する。【解決手段】  本発明に係る有機ＥＬ表示装置１は、光反射電極１２と光反射電極１２の上に設けられた発光層１３とを有し、発光層１３の発光の直接光及び光反射電極１２での反射光を観察者に対して出射する有機ＥＬ素子１０と、有機ＥＬ素子１０の観察者側に設けられ、観察者側から入射した外光の光反射電極１２での反射光が再び観察者側に出射するのを阻止する円偏光板３０と、円偏光板３０を有機ＥＬ素子１０と離間して保持するベゼル２０と、を備えている。【選択図】図１
2006018187.tif 000002
【特許請求の範囲】
【請求項１】
光反射層と該光反射層の上に設けられた発光層とを有し、該発光層の発光の直接光及び該光反射層での反射光を観察者に対して出射する有機ＥＬ素子と、
上記有機ＥＬ素子の観察者側に設けられ、観察者側から入射した外光の上記光反射層での反射光が再び観察者側に出射するのを阻止する光反射防止板と、
上記光反射防止板を上記有機ＥＬ素子と離間して保持する保持手段と、
を備えた有機ＥＬ表示装置。
【請求項２】
請求項１に記載された有機ＥＬ表示装置において、
上記有機ＥＬ素子は、上記発光層よりも観察者側に設けられた透明基板を有しており、
上記保持手段は、上記透明基板を固定したベゼルで構成されている有機ＥＬ表示装置。
【請求項３】
請求項２に記載された有機ＥＬ表示装置において、
上記ベゼルは、上記透明基板よりも熱伝導率が高い有機ＥＬ表示装置。
【請求項４】
請求項１に記載された有機ＥＬ表示装置において、
上記光反射防止板は、上記有機ＥＬ素子から０．１ｍｍ以上離間して位置づけられている有機ＥＬ表示装置。
【請求項５】
請求項２に記載された有機ＥＬ表示装置において、
上記ベゼルが、金属で形成されている有機ＥＬ表示装置。
【請求項６】
請求項２に記載された有機ＥＬ表示装置において、
上記ベゼルは、上記有機ＥＬ素子との接触面が環状に形成されている有機ＥＬ表示装置。
【請求項７】
請求項２に記載された有機ＥＬ表示装置において、
上記ベゼルには、上記有機ＥＬ素子と上記光反射防止板との間の空間を外気に連通させる通気孔が形成されている有機ＥＬ表示装置。
【請求項８】
請求項１に記載された有機ＥＬ表示装置において、
上記光反射防止板は、観察者側に設けられた偏光板と、有機ＥＬ素子側に設けられた位相差板と、により構成されている有機ＥＬ表示装置。
【請求項９】
請求項１に記載された有機ＥＬ表示装置において、
上記光反射防止板は、その観察者側表面にアンチリフレクションコート層及び／又はアンチグレアコート層を有している有機ＥＬ表示装置。
【請求項１０】
請求項８に記載された有機ＥＬ表示装置において、
上記光反射防止板は、その観察者側表面にアンチリフレクションコート層及び／又はアンチグレアコート層を有している有機ＥＬ表示装置。
【発明の詳細な説明】
【技術分野】
【０００１】
本発明は、有機ＥＬ表示装置に関するものである。
【背景技術】
【０００２】
近年、情報処理機器の多様化に伴って、従来から一般に使用されている陰極線管（ＣＲＴ）よりも消費電力が少なく、薄型化が可能である平面表示装置に対する需要が高まってきている。そのような平面表示装置として、例えば、液晶表示装置やＥＬ（エレクトロルミネッセンス）表示装置等を挙げることができる。その中でも、有機ＥＬ表示装置は、低電圧駆動、全固体型、高速応答性、自発光性という特徴を有するため、特に研究開発が盛んに行われている。
【０００３】
図６は、従来の有機ＥＬ表示装置２００の概略断面図である。
【０００４】
この有機ＥＬ表示装置２００は、基板２１０と、基板２１０の上に設けられた発光層２３０と、発光層２３０を狭持するように設けられた第１電極２２０と第２電極２４０とを有する。
【０００５】
また、有機ＥＬ表示装置２００では、第２電極２４０は光反射性に、第１電極２２０は光透過性に構成されており、発光層２３０からの光は、第１電極２２０側から出射するように構成されている。
【０００６】
この有機ＥＬ表示装置２００では、第１電極２２０と発光層２３０とは非常に薄く構成されている。そのため、基板２１０を経由して観察者側から入射した外光は、第２電極２４０にまで到達し、光反射性に構成された第２電極２４０により再度観察者側に反射される。従って、表示画像とともに外部の景色が有機ＥＬ表示装置２００に写ってしまい、有機ＥＬ表示装置２００のコントラストや色純度が低下するという問題がある。
【０００７】
このような問題に鑑み、光透過性に構成された第１電極側に円偏光板を設置した有機ＥＬ表示装置が提案されている（例えば、「特許文献１」等）。
【０００８】
図５は、特許文献１に記載された有機ＥＬ表示装置１００の概略断面図である。
【０００９】
この有機ＥＬ表示装置１００は、直線偏光板１１０及び位相差板１２０からなる円偏光板と、透明基板１３０と、陽極１４０と、正孔注入輸送層１５０と、有機発光層１６０と、電子注入輸送層１７０と陰極１８０と、がこの順で積層されてなるものである。
【００１０】
特許文献１には、直線偏光板１１０の偏光軸と位相差板１２０の光軸とのなす角を±４５°に傾けることにより右巻き及び左巻きの円偏光を得ることができる。円偏光の特徴は、反射することにより円偏光の向きが変わることである。すなわち、右円偏光は反射することにより左円偏光となり、左円偏光は反射すると右円偏光となる。外部から入射し、円偏光板を透過した光は右又は左の円偏光となり、背面の陰極１８０により反射されて、有機ＥＬ表示装置１００外部に向かって進行する。しかし、入射した光と反対方向の円偏光となっているので、円偏光板が反射光を通さないので、反射による外部の景色が見えないこととなる、と記載されている。
【特許文献１】特開平８−３２１３８１号公報
【発明の開示】
【発明が解決しようとする課題】
【００１１】
有機ＥＬ表示装置１００は、自発光型の表示装置であり、また電流駆動型の発光装置であるため、連続して画像表示を行った場合、特に発光層１６０が発熱する。また、直線偏光板１１０や位相差板１２０の耐熱温度は、一般的には７０℃、高いものでも９０℃程度と低い。従って、直線偏光板１１０と位相差板１２０とが発熱する発光層１６０に接着されている有機ＥＬ表示装置１００では、発光層１６０の発熱が直線偏光板１１０や位相差板１２０に伝導しやすく、直線偏光板１１０と位相差板１２０との熱的劣化が激しい。従って、有機ＥＬ表示装置１００は、その製品寿命が短いという問題がある。
【００１２】
本発明は、かかる点に鑑みてなされたものであり、その目的とするところは、高いコントラストを有し、良好な画像表示が可能であり、かつ、長い製品寿命を有する有機ＥＬ表示装置を提供することにある。
【課題を解決するための手段】
【００１３】
本発明に係る有機ＥＬ表示装置は、光反射層と該光反射層の上に設けられた発光層とを有し、該発光層の発光の直接光及び該光反射層での反射光を観察者に対して出射する有機ＥＬ素子と、
上記有機ＥＬ素子の観察者側に設けられ、観察者側から入射した外光の上記光反射層での反射光が再び観察者側に出射するのを阻止する光反射防止板と、
上記光反射防止板を上記有機ＥＬ素子と離間して保持する保持手段と、
を備えたものである。
【００１４】
本発明に係る有機ＥＬ表示装置は、光反射防止板を備えているため、観察者側から入射した外光の光反射層での反射光が再び観察者側に出射することが阻止されている。従って、高いコントラストを有し、良好な画像表示が可能な有機ＥＬ表示装置を実現することができる。
【００１５】
また、本発明に係る有機ＥＬ表示装置は、光反射防止板が有機ＥＬ素子と離間して配設されている。そのため、有機ＥＬ素子の発熱が直接光反射防止板に伝導することがない。従って、光反射防止板の有機ＥＬ素子の発熱による劣化を効果的に抑制することができ、長い製品寿命を有する有機ＥＬ表示装置を実現することができる。
【００１６】
また、本発明に係る有機ＥＬ表示装置は、上記有機ＥＬ素子は、上記発光層よりも観察者側に設けられた透明基板を有しており、
上記保持手段は、上記透明基板を固定したベゼルで構成されているものであっても構わない。
【００１７】
また、本発明に係る有機ＥＬ表示装置は、上記ベゼルは、上記透明基板よりも熱伝導率が高いものであっても構わない。
【００１８】
この構成によれば、有機ＥＬ素子は、透明基板の熱伝導率よりも大きな熱伝導率を有するベゼルに接着固定されている。そのため、有機ＥＬ素子の発熱は、熱伝導率の高いベゼルを経由して効果的に有機ＥＬ表示装置の外部に放熱される。よって、有機ＥＬ素子の発熱が光反射防止板へ伝導することをより効果的に抑制することができる。
【００１９】
さらに、この構成によれば、有機ＥＬ素子の発熱がベゼルを経由して効果的に外部に放熱されることにより、有機ＥＬ素子に蓄熱することを効果的に抑制することができる。
【００２０】
従って、この構成によれば、有機ＥＬ素子及び光反射防止板の熱的劣化をより効果的に抑制することができ、より長い製品寿命を有する有機ＥＬ表示装置を実現することができる。
【００２１】
また、本発明に係る有機ＥＬ表示装置は、上記光反射防止板は、上記有機ＥＬ素子から０．１ｍｍ以上離間して位置づけられているものであっても構わない。
【００２２】
この構成によれば、有機ＥＬ素子からの発熱の光反射防止板への伝導をより効果的に抑制することができる。よって、より長い製品寿命を有する有機ＥＬ表示装置を実現することができる。
【００２３】
また、本発明に係る有機ＥＬ表示装置は、上記ベゼルが、金属で形成されているものであっても構わない。
【００２４】
ベゼルを金属により構成することによって、高い熱伝導率を有するベゼルを実現することができる。従って、有機ＥＬ素子の発熱は、高い熱伝導率を有するベゼルを経由して効果的に外部に放熱される。よって、有機ＥＬ素子から光反射防止板への熱伝導をより効果的に抑制することができる。また、有機ＥＬ素子に蓄熱することをさらに効果的に抑制することができる。
【００２５】
従って、この構成によれば、有機ＥＬ素子及び光反射防止板の熱的劣化をさらに効果的に抑制することができ、より長い製品寿命を有する有機ＥＬ表示装置を実現することができる。
【００２６】
また、本発明に係る有機ＥＬ表示装置は、上記ベゼルは、上記有機ＥＬ素子との接触面が環状に形成されているものであっても構わない。
【００２７】
この構成によれば、ベゼルは、有機ＥＬ表示素子の表示領域の外側に位置する周縁部分の全体を覆うように接着固定されている。従って、有機ＥＬ表示素子の発熱がより効果的にベゼルに伝導し、放熱される。よって、この構成によれば、有機ＥＬ素子及び光反射防止板の熱的劣化をさらに効果的に抑制することができ、より長い製品寿命を有する有機ＥＬ表示装置を実現することができる。
【００２８】
また、本発明に係る有機ＥＬ表示装置は、上記ベゼルには、上記有機ＥＬ素子と上記光反射防止板との間の空間を外気に連通させる通気孔が形成されているものであっても構わない。
【００２９】
この構成によれば、有機ＥＬ素子と光反射防止板との間に形成された空気層が外気と連通している。従って、空気層に蓄熱された有機ＥＬ素子の発熱が効果的に有機ＥＬ表示装置外に放出される。従って、この構成によれば、有機ＥＬ素子及び光反射防止板の熱的劣化を効果的に抑制することができ、より長い製品寿命を有する有機ＥＬ表示装置を実現することができる。
【００３０】
また、本発明に係る有機ＥＬ表示装置は、上記光反射防止板は、観察者側に設けられた偏光板と、有機ＥＬ素子側に設けられた位相差板と、により構成されているものであっても構わない。
【００３１】
この構成によれば、観察者側から入射し、光反射層によって再び観察者側に反射された外光が有機ＥＬ表示装置から出射することを阻止することができる。すなわち、観察者側から入射した光は、偏光板と位相差板とからなる円偏光板により円偏光に変換される。そして、変換された円偏光は、光反射層により反射されることにより入射光とは逆巻きの円偏光に変わる。このように光反射層により反射されることにより入射光とは逆巻きに変換された円偏光は円偏光板を透過できず、よって、再び観察者側に出射することはない。
【００３２】
従って、この構成によれば、高いコントラストを有し、良好な画像表示が可能な有機ＥＬ表示装置を実現することができる。
【００３３】
また、本発明に係る有機ＥＬ表示装置は、上記光反射防止板は、その観察者側表面にアンチリフレクションコート層及び／又はアンチグレアコート層を有しているものであっても構わない。
【００３４】
この構成によれば、光反射防止板の表面で発生する光反射を効果的に抑制することができる。従って、表示画像の視認性の高い有機ＥＬ表示装置を実現することができる。
【００３５】
また、本発明に係る有機ＥＬ表示装置は、上記光反射防止板は、その観察者側表面にアンチリフレクションコート層及び／又はアンチグレアコート層を有し、観察者側に設けられた偏光板と、有機ＥＬ素子側に設けられた位相差板と、により構成されているものであっても構わない。
【００３６】
この構成によれば、観察者側から入射し、光反射層により反射された外光が再び観察者側に出射すること、及び、光反射防止板の表面で発生する光反射を効果的に抑制することができる。従って、この構成によれば、視認性が高く、高いコントラストを有し、良好な画像表示が可能な有機ＥＬ表示装置を実現することができる。
【発明の効果】
【００３７】
以上説明したように、本発明によれば、観察者側から入射し、上記光反射層によって反射された光が再び観察者側に出射するのを阻止する機能を有する光反射防止板を備え、また、光反射防止板が有機ＥＬ素子と離間して設けられているので、観察者側からの入射光によるコントラストの低下等の表示画像品質の低下を抑制し、また、有機ＥＬ素子の発熱による光反射防止板及び有機ＥＬ素子の劣化を抑制することができる。
【発明を実施するための最良の形態】
【００３８】
以下、本発明の実施形態を図面に基づいて詳細に説明する。
【００３９】
図１は、本発明の実施形態に係る有機ＥＬ表示装置１の概略断面図である。
【００４０】
また、図２は、図１中ＩＩ−ＩＩで示す部分の概略断面図である。
【００４１】
この有機ＥＬ表示装置１は、有機ＥＬ素子１０と、有機ＥＬ素子１０の外縁部分に接着固定されたベゼル２０と、ベゼル２０により有機ＥＬ素子１０に接着された透明基板４０と、ベゼル２０により固定された円偏光板３０と、により構成されている。
【００４２】
有機ＥＬ素子１０は、第１基板１１と、第１基板１１の上に設けられた光反射電極１２と、光反射電極１２の上に設けられた発光層１３と、発光層１３の上に設けられた透明電極１４と、透明電極１４の上に設けられた第２基板１５と、を有し、発光層１３からの光は、透明電極１４側から出射するように構成されている。有機ＥＬ素子１０では、光反射電極１２と透明電極１４との間に発光層１３のみを有するが、本発明は何らこの構成に限定されるものではない。すなわち、光反射電極１２と透明電極１４との間に、ホール注入層、ホール輸送層、電子輸送層、電子注入層等をさらに有するものであっても勿論構わない。
【００４３】
また、有機ＥＬ素子１０では、第１基板１１の上に光反射電極１２を設けたが、本発明は何らこれに限定されるものではない。すなわち、第１基板１１の上に、光反射層を設けて、その上に、透明な電極を設けても勿論構わない。
【００４４】
第１基板１１と第２基板１５とは、有機ＥＬ素子１０の機械的強度を担保できるものであれば何ら限定されるものではない。第１基板１１及び第２基板１５は、例えば、ガラス、石英等の無機材料、ポリエチレンテレフタレート等のプラスティック、及び、アルミナ等のセラミックス等の絶縁性材料からなる基板、若しくは、アルミニウム、鉄等の金属基板にＳｉＯ2や有機絶縁性材料等の絶縁材料をコートした基板、若しくは、アルミニウム、鉄等の金属基板の表面を陽極酸化等の方法で絶縁化処理を施した基板等により構成することができる。
【００４５】
尚、第２基板１５は、発光層１３からの光を透過する機能を有するため、光透過性に構成することが好ましい。すなわち、第２基板１５は、例えば、ガラス、石英等の無機材料、ポリエチレンテレフタレート等のプラスティックにより構成することがより好ましい。
【００４６】
光反射電極１２は、発光層１３から光反射電極１２側に向けて出射された光を観察者側に反射する機能、及び、発光層１３にホールを注入する機能を有する。従って、光反射電極１２は、光反射率が高く、且つ仕事関数の大きな材料により構成することが好ましい。
【００４７】
光反射率が高い材料としては、例えば、アルミニウム（Ａｌ）やプラチナ（Ｐｔ）等が挙げられる。また、仕事関数の大きな材料としては、例えば、インジウム錫酸化物（ＩＴＯ）、インジウム亜鉛酸化物（ＩＺＯ）、金（Ａｕ）、プラチナ（Ｐｔ）、ニッケル（Ｎｉ）等が挙げられる。
【００４８】
また、光反射電極１２を光反射機能を有する金属層と高いホール注入効率を有するホール注入層との積層構造としても勿論構わない。この構成によれば、発光層１３からの光の取り出し効率が高く、電流効率が高く、且つ高輝度な有機ＥＬ素子１０を実現することができる。
【００４９】
透明電極１４は、発光層１３からの光を観察者側に透過する機能、及び、発光層１３へ電子を注入する機能を有する。従って、透明電極１４は、電気導電率が高く、光透過率が高く、仕事関数の小さな材料により構成することがより好ましい。電気導電率が高く、且つ光透過率が高い材料としては、例えば、インジウム錫酸化物（ＩＴＯ）、インジウム亜鉛酸化物（ＩＺＯ）等の透明導電性酸化物が挙げられる。また、仕事関数の小さな材料としては、カルシウム（Ｃａ）やバリウム（Ｂａ）等が挙げられる。
【００５０】
尚、透明電極１４を仕事関数の小さな材料からなる電子注入層と、光透過率が高く且つ電気導電率の高い透明電極層との積層構造としても勿論構わない。この構成によれば、発光層１３への高い電子注入効率と、発光層１３からの光の高い取り出し効率を有する有機ＥＬ素子１０を実現することができる。
【００５１】
尚、有機ＥＬ素子１０では、光反射電極１２がホール注入機能を有し、透明電極１４が電子注入機能を有するように構成されているが、本発明は何らこの構成に限定されるものではない。すなわち、光反射電極１２が電子注入機能を有し、透明電極１４がホール注入機能を有するものであっても構わない。
【００５２】
発光層１３は、光反射電極１２から注入されたホールと透明電極１４から注入された電子とを再結合させることにより励起子（エキシントン）を生成させ、その励起子が失活する際の光の放出を利用して発光する有機発光材料により形成されている。このような有機発光材料としては、例えば、４，４'‐ビス（２，２'‐ジフェニルビニル）‐ビフェニル（ＤＰＶＢｉ）等の芳香族化合物、オキサジアゾール化合物、３‐（４‐ビフェニルイル）‐４‐フェニル‐５‐ｔ‐ブチルフェニル‐１，２，４‐トリアゾール（ＴＡＺ）等のトリアゾ‐ル誘導体、１，４‐ビス（２‐メチルスチリル）ベンゼン等のスチリルベンゼン化合物、チオピラジンジオキシド誘導体、ベンゾキノン誘導体、ナフトキノン誘導体、アントラキノン誘導体、ジフェノキノン誘導体、フルオレノン誘導体等の蛍光性有機材料、アゾメチン亜鉛錯体、（８‐ヒドロキシキノリナート）アルミニウム錯体（Ａｌｑ3）等の蛍光性有機金属化合物等の低分子発光材料、若しくは、例えば、ポリ（２‐デシルオキシ‐１，４‐フェニレン）（ＤＯ‐ＰＰＰ）、ポリ［２，５‐ビス‐［２‐（Ｎ，Ｎ，Ｎ‐トリエチルアンモニウム）エトキシ］‐１，４‐フェニル‐アルト‐１，４‐フェニルレン］ジブロマイド（ＰＰＰ‐ＮＥｔ3+）、ポリ［２‐（２'‐エチルヘキシルオキシ）‐５‐メトキシ‐１，４‐フェニレンビニレン］（ＭＥＨ‐ＰＰＶ）、ポリ［５‐メトキシ‐（２‐プロパノキシサルフォニド）‐１，４‐フェニレンビニレン］（ＭＰＳ‐ＰＰＶ）、ポリ［２，５‐ビス‐（ヘキシルオキシ）‐１，４‐フェニレン‐（１‐シアノビニレン）］（ＣＮ‐ＰＰＶ）、ポリ（９，９‐ジオクチルフルオレン）（ＰＤＡＦ），ポリスピロ（ＰＳ）等の高分子発光材料等が挙げられる。
【００５３】
円偏光板３０は、観察者側から入射し光反射電極１２により反射された光が観察者側に出射するのを防止する機能を有する。従って、表示画像とともに外部の景色が有機ＥＬ表示装置１に写ってしまうことはなく、高いコントラスト及び色純度を有し良好な画像表示をすることができる有機ＥＬ表示装置１を実現することができる。
【００５４】
尚、円偏光板は、観察者側に設けられた直線偏光板と、有機ＥＬ素子側に設けられたλ／４位相差板と、により構成することができる。
【００５５】
また、有機ＥＬ表示装置１では、観察者側から入射し、光反射電極１２によって反射された外光が再び観察者側に出射するのを防止する機能を有する光反射防止板を円偏光板３０により構成したが、本発明において光反射防止板は何らこれに限定されるものではない。
【００５６】
すなわち、光反射防止板を、例えば、楕円偏光板や、表面にアンチグレアコート（防眩コート；以下、「ＡＧコート」と略すことがある。）層及び／又は、アンチリフレクションコート（無反射コート；以下、「ＡＲコート」と略すことがある。）層を有する透明基板等により構成してももちろん構わない。また、光反射防止板は、表面にＡＧコート層及び／又はＡＲコート層が形成された直線偏光板と、λ／４位相差板と、により構成しても構わない。
【００５７】
ＡＧコート層及び／又はＡＲコート層を有する光反射防止板を用いることによって、光反射防止板の観察者側表面による光反射を抑制することができ、視認性の高い有機ＥＬ表示装置１を実現することができる。
【００５８】
保護基板４０は、有機ＥＬ素子１０及び円偏光板３０を外部からの衝撃から保護し、有機ＥＬ表示装置１の物理的耐久性を向上するものである。保護基板４０は、光透過性の高いものであれば、何ら限定されるものではないが、例えば、ガラスやアクリル等のプラスティックにより構成することができる。
【００５９】
ベゼル２０は、有機ＥＬ素子１０と円偏光板３０及び保護基板４０とを接着する機能を有する。ベゼル２０により円偏光板３０は有機ＥＬ素子１０と離間するように配置されている。従って、有機ＥＬ素子１０の発熱が直接円偏光板３０に伝導することはなく、円偏光板３０の熱的劣化を効果的に抑制することができる。尚、ベゼル２０の層厚は、０．１以上であることが好ましく、０．３ｍｍ以上であることがより好ましい。この構成によれば、円偏光板３０から有機ＥＬ素子１０間での距離をより大きくすることができ、円偏光板３０を有機ＥＬ素子１０の発熱からより効果的に保護することができる。
【００６０】
また、ベゼル２０は、例えば、アルミニウム（Ａｌ）や鉄（Ｆｅ）、ステンレス等の熱伝導率の高い金属により構成されている。そのため、有機ＥＬ素子１０の発熱を有機ＥＬ表示装置１外に効果的に放出することができる。よって、円偏光板３０及び有機ＥＬ素子１０の熱的劣化をより効果的に抑制することができる。
【００６１】
また、図２に示すように、ベゼル２０には、円偏光板３０と透明基板４０との間に形成された空気層を外気に連通させる通気孔２１が形成されている。よって、この空気層に蓄熱された有機ＥＬ素子１０の発熱が効果的に有機ＥＬ表示装置１から放出される。従って、この構成によれば、円偏光板３０の熱的劣化を効果的に抑制することができ、より長い製品寿命を有する有機ＥＬ表示装置１を実現することができる。
【００６２】
図３は、ベゼル２０の形状のバリエーションを示す平面図である。
【００６３】
図４は、ベゼル２０が図３（ｂ）に示す形状を有する場合の有機ＥＬ表示装置１の概略断面図である。
【００６４】
図３（ａ）のように、ベゼル２０は、その接着部２０ａが有機ＥＬ素子１０の周縁部分全体に、環状となるように設けられているものであっても構わない。この構成によれば、高い熱伝導率を有するベゼル２０が、より広い面積で有機ＥＬ表示素子１０と接着固定されているため、有機ＥＬ表示素子１０の発熱が効果的にベゼル２０に伝導し、放熱される。従って、ベゼル２０による放熱効果の高い有機ＥＬ表示装置１を実現することができる。
【００６５】
また、図（ｂ）〜（ｄ）に示すように、ベゼル２０は、その接着部２０ａが有機ＥＬ素子１０の外縁部の一部に設けられたものであっても構わない。この構成によれば、図４に示すように、ベゼル２０と接着していない部分が、有機ＥＬ素子１０と円偏光板３０との間の空間を外気に連通させる通気孔２０ｂとなる。よって、空気の対流によって、この空間に蓄熱された有機ＥＬ素子１０の発熱がより効果的に有機ＥＬ表示装置１外に放出される。従って、この構成によれば、有機ＥＬ素子１０及び円偏光板３０の熱的劣化をさらに効果的に抑制することができ、より長い製品寿命を有する有機ＥＬ表示装置１を実現することができる。
【００６６】
尚、本発明においては、有機ＥＬ素子１０は、何ら限定されるものではなく、基板１１上にＴＦＴ等のスイッチング素子を有するアクティブマトリクス型の素子であっても、また、パッシブマトリクス型の素子、セグメント型の素子であっても構わない。
【図面の簡単な説明】
【００６７】
【図１】本発明に係る有機ＥＬ表示装置１の概略断面図である。
【図２】図１中ＩＩ−ＩＩで示す部分の概略断面図である。
【図３】ベゼル２０の形状のバリエーションを示す平面図である。
【図４】ベゼル２０が図３（ｂ）に示す形状を有する場合の有機ＥＬ表示装置１の概略  断面図である。
【図５】特許文献１に記載された有機ＥＬ表示装置１００の概略断面図である。
【図６】従来の有機ＥＬ表示装置２００の概略断面図である。
【符号の説明】
【００６８】
１、１００、２００  有機ＥＬ表示装置
１０  有機ＥＬ素子
１１  第１基板
１２  光反射層
１３、１７０、２３０  発光層
１４  透明電極
１５  第２基板
２０  ベゼル
２０ａ  接着部
２１、２０ｂ  通気孔
３０  円偏光板
４０  保護基板
１１０  直線偏光板
１２０  位相差板
１３０  ガラス基板
１４０  陽極
１５０  正孔輸送層
１６０  発光層
１８０  陰極
２１０  基板
２２０  第１電極
２４０  第２電極
【図１】
2006018187.tif 000003
【図２】
2006018187.tif 000004
【図３】
2006018187.tif 000005
【図４】
2006018187.tif 000006
【図５】
2006018187.tif 000007
【図６】
2006018187.tif 000008